(57)【要約】【課題】回路基板の接続端子部に対して信号線の先端部分を確実かつ容易に位置決めして半田付け等により接続することができる電子内視鏡の先端部を提供すること。【解決手段】挿入部１の先端に固体撮像素子７と回路基板１０とが内蔵され、挿入部１内に挿通配置された信号ケーブル１５の先端から引き出された信号線１６の先端部分１６ａが、その部分だけ可撓性被覆１６ｂが剥がされて、回路基板１０に設けられている接続端子部１７に接続された電子内視鏡の先端部において、回路基板１０に、信号線１６の可撓性被覆１６ｂが弾性変形してきつく嵌め込まれる信号線固定溝１９を、接続端子部１７に隣接して設けた。【選択図】      図１
2006014906.tif 000002
【特許請求の範囲】
【請求項１】
挿入部の先端に固体撮像素子と回路基板とが内蔵され、上記挿入部内に挿通配置された信号ケーブルの先端から引き出された信号線の先端部分が、その部分だけ可撓性被覆が剥がされて、上記回路基板に設けられている接続端子部に接続された電子内視鏡の先端部において、
上記回路基板に、上記信号線の可撓性被覆が弾性変形してきつく嵌め込まれる信号線固定溝を、上記接続端子部に隣接して設けたことを特徴とする電子内視鏡の先端部。
【請求項２】
上記信号線固定溝が、上記回路基板上に間隔をあけて並んで突設された複数の突起により形成されている請求項１記載の電子内視鏡の先端部。
【請求項３】
上記信号線固定溝が、上記回路基板に形成された凹部により形成されている請求項１記載の電子内視鏡の先端部。
【発明の詳細な説明】
【技術分野】
【０００１】
この発明は電子内視鏡の先端部に関する。
【背景技術】
【０００２】
挿入部の先端に固体撮像素子を内蔵する電子内視鏡においては、固体撮像素子の駆動回路等を構成する電子部品が取り付けられた回路基板が固体撮像素子の後側に隣接して配置され、挿入部内に挿通配置された信号ケーブルの先端から引き出された信号線の先端部分が、その部分だけ可撓性被覆が剥がされて、回路基板に設けられた接続端子部に半田付け等によって接続されている（例えば、特許文献１）。
【特許文献１】特開平１１−４７０８４
【発明の開示】
【発明が解決しようとする課題】
【０００３】
上述のような従来の電子内視鏡においては、信号ケーブルの先端から引き出された信号線の先端部分を、その部分だけ可撓性被覆を剥がしてから、回路基板の接続端子部に当て付けた状態で半田付け接続しており、図６は、そのような信号線９１の導線９１ａが、回路基板９３に設けられている接続端子部９４に対して良好な状態に半田付け接続された状態を略示している。
【０００４】
しかし、技術の進歩により固体撮像素子が小型化されるのに伴って回路基板９３が小型化されると、半田付け作業の際に、接続端子部９４に対する信号線９１の僅かな位置ずれにより、例えば図７に略示されるように、導線９１ａが接続端子部９４から浮き上がった状態に半田付けされて、短期間で接続が外れてしまう等の接続不良が発生していた。
【０００５】
そこで本発明は、回路基板の接続端子部に対して信号線の先端部分を確実かつ容易に位置決めして半田付け等により接続することができる電子内視鏡の先端部を提供することを目的とする。
【課題を解決するための手段】
【０００６】
上記の目的を達成するため、本発明の電子内視鏡の先端部は、挿入部の先端に固体撮像素子と回路基板とが内蔵され、挿入部内に挿通配置された信号ケーブルの先端から引き出された信号線の先端部分が、その部分だけ可撓性被覆が剥がされて、回路基板に設けられている接続端子部に接続された電子内視鏡の先端部において、回路基板に、信号線の可撓性被覆が弾性変形してきつく嵌め込まれる信号線固定溝を、接続端子部に隣接して設けたものである。
【０００７】
なお、信号線固定溝が、回路基板上に間隔をあけて並んで突設された複数の突起により形成されていてもよく、或いは、回路基板に形成された凹部により形成されていてもよい。
【発明の効果】
【０００８】
本発明によれば、信号ケーブルから引き出された信号線の先端部分が接続される接続端子部に隣接して、回路基板に、信号線の可撓性被覆が弾性変形してきつく嵌め込まれる信号線固定溝を設けたことにより、可撓性被覆を信号線固定溝に嵌め込み固定した状態で信号線を接続端子部に半田付け等によって接続する作業を行うことができるので、回路基板の接続端子部に対して信号線の先端部分を確実かつ容易に位置決めして半田付け等により接続することができ、さらに、半田付けされた後も信号線の自由な動きが制約されるので、半田付け部分に加わる剥離力等が低減されて、半田付け部分の耐久性が向上する。
【発明を実施するための最良の形態】
【０００９】
挿入部の先端に固体撮像素子と回路基板とが内蔵され、挿入部内に挿通配置された信号ケーブルの先端から引き出された信号線の先端部分が、その部分だけ可撓性被覆が剥がされて、回路基板に設けられている接続端子部に接続された電子内視鏡の先端部において、回路基板に、信号線の可撓性被覆が弾性変形してきつく嵌め込まれる信号線固定溝を、接続端子部に隣接して設ける。
【実施例】
【００１０】
図面を参照して本発明の実施例を説明する。
図５は電子内視鏡の挿入部の先端部分を示しており、細長い可撓管状に形成された挿入部１の最先端部分に先端部本体２が連結され、その先端部本体２の最先端面に観察窓３と照明窓４等が配置されている。５は、照明窓４の後方に配置されているライトガイドファイババンドルである。
【００１１】
観察窓３の奥の先端部本体２内には、対物光学系６が配置されていて、その対物光学系６による被写体の投影位置に、例えばＣＣＤ（電荷結合素子）等からなる固体撮像素子７の受光面７ａが配置されている。
【００１２】
この実施例においては、対物光学系６の光軸と先端部本体２の軸線とが平行になるようにレイアウトされていて、固体撮像素子７の受光面７ａは対物光学系６の光軸に対して垂直の向きに配置されている。
【００１３】
そのような対物光学系６と固体撮像素子７を保持する撮像部保持枠８は、先端部本体２に軸線と平行方向に形成された貫通孔内に嵌挿固定されていて、撮像部保持枠８内には、固体撮像素子７の駆動回路等を構成する電子部品が取り付けられた回路基板１０が、固体撮像素子７の後側に隣接して収容されている。１１は、固体撮像素子７から後方に延出して回路基板１０側に接続されたリード。１２は、リード１１の中間部分の外面に沿って配置された絶縁板である。
【００１４】
１５は、固体撮像素子７で撮像された内視鏡観察画像の撮像信号等を伝送するために挿入部１内に軸線と平行方向に全長にわたって挿通配置された信号ケーブルであり、その先端から前方に延出する複数の信号線１６の先端部分が、回路基板１０の後端付近に設けられた接続端子部１７に半田付け等によって接続されている。
【００１５】
図１は、回路基板１０の接続端子部１７に信号線１６が接続される前の状態を略示しており、回路基板１０の表面には、接続端子部１７に接続される信号線１６の可撓性被覆１６ｂを挟むように、複数の突起１８が間隔をあけて信号線１６の接続方向に沿う方向に並列に並んで突出して設けられ、可撓性被覆１６ｂを挟むための信号線固定溝１９が、各々隣り合う突起１８間の隙間によって可撓性被覆１６ｂの直径より狭く形成されている。
【００１６】
なお、この実施例においては、各突起１８が、接続端子部１７に信号線１６が接続されたときに可撓性被覆１６ｂを挟む位置だけでなく、それより前方の接続端子部１７の左右位置まで設けられているが、接続端子部１７の左右位置には必ずしも設けなくてもよい。
【００１７】
そのような接続端子部１７に接続される信号線１６は、先端部分だけ可撓性被覆１６ｂが剥がされて導電線１６ａが剥き出しにされ、可撓性被覆１６ｂを信号線固定溝１９に挟み込んだ状態で導電線１６ａを接続端子部１７に半田付け等によって接続する。
【００１８】
図２は、信号線１６の先端部分が半田付け２０により接続端子部１７に接続された状態を略示しており、そのように導電線１６ａが接続端子部１７に半田付けされる前の段階で、可撓性被覆１６ｂが信号線固定溝１９に挟み込まれる際には、図２におけるIII−III断面を図示する図３に示されるように、可撓性被覆１６ｂが両側の突起１８の間で潰されて弾性変形し、信号線固定溝１９にきつく嵌め込まれる。
【００１９】
その結果、導電線１６ａを接続端子部１７に半田付けする作業の際には導電線１６ａが安定した状態に固定されているので、導電線１６ａを接続端子部１７に対して正しく位置決めした状態で半田付け作業を行うことができる。
【００２０】
このようにして、回路基板１０の接続端子部１７に対して信号線１６の導電線１６ａを確実かつ容易に位置決めして半田付け等により接続することができ、また、可撓性被覆１６ｂが信号線固定溝１９にきつく嵌め込まれていることにより、半田付けが行われた後も信号線１６の自由な動きが制約されるので、信号線１６の半田付け２０部分に加わる剥離力等が低減されて、半田付け２０部分の耐久性が向上する。
【００２１】
なお、本発明は上記実施例に限定されるものではなく、例えば図４に示されるように、回路基板１０に形成した凹部等によって信号線固定溝１９を形成しても差し支えない。
【図面の簡単な説明】
【００２２】
【図１】本発明の第１の実施例の電子内視鏡の先端部の信号線接続部の信号線接続前の状態の略示斜視図である。
【図２】本発明の第１の実施例の電子内視鏡の先端部の信号線接続部の信号線接続後の状態の略示斜視図である。
【図３】本発明の第１の実施例の電子内視鏡の先端部の図２におけるIII−III断面図である。
【図４】本発明の第２の実施例の電子内視鏡の先端部の断面図（第１の実施例の図３に相当する断面図）である。
【図５】本発明の実施例の電子内視鏡の先端部の側面断面図である。
【図６】従来の電子内視鏡の先端部の良好な信号線接続部の略示斜視図である。
【図７】従来の電子内視鏡の先端部の不良な信号線接続部の略示斜視図である。
【符号の説明】
【００２３】
１  挿入部
２  先端部本体
７  固体撮像素子
１０  回路基板
１５  信号ケーブル
１６  信号線
１６ａ  導電線
１６ｂ  可撓性被覆
１７  接続端子部
１８  突起
１９  信号線固定溝
【図１】
2006014906.tif 000003
【図２】
2006014906.tif 000004
【図３】
2006014906.tif 000005
【図４】
2006014906.tif 000006
【図５】
2006014906.tif 000007
【図６】
2006014906.tif 000008
【図７】
2006014906.tif 000009